(57)【要約】【課題】配線ダクトに多数の照明器具が近接して接続される条件下でも良好に遠隔制御することができ、かつ、その制御操作を簡単に行える照明器具の制御装置を提供する。【解決手段】同一の配線ダクトに接続された複数個の照明器具の各々に、マイク１１と音声認識部１４とを具備する音声制御手段が設けられ、上記音声認識手段は、予め個々の照明器具の識別音声と点消灯及び調光の命令音声を登録しうるように構成されて、上記識別音声を伴って発せられた点消灯又は調光の命令音声が、各音声制御手段のマイク１１を通じ音声認識部１４にてそれぞれ認識されることにより、上記識別音声に該当する照明器具の点消灯・調光状態が個々に制御されるように構成する。【選択図】図３
2006286275.tif 000002
【特許請求の範囲】
【請求項１】
同一の配線ダクトに接続された複数個の照明器具の各々に、マイクと音声認識部とを具備する音声制御手段が設けられ、上記音声認識手段は、予め個々の照明器具の識別音声と点消灯及び調光の命令音声を登録しうるように構成されて、上記識別音声を伴って発せられた点消灯又は調光の命令音声が、各音声制御手段のマイクを通じ音声認識部にてそれぞれ認識されることにより、上記識別音声に該当する照明器具の点消灯・調光状態が個々に制御されることを特徴とする照明器具の制御装置。
【請求項２】
音声制御手段は、通常は待機モードにあり、当該照明器具の識別音声を受信して操作モードに切り替わり、操作モードで点消灯又は調光の命令音声を受信することによって当該照明器具の点消灯・調光状態を制御することを特徴とする請求項１に記載の照明器具の制御装置。
【請求項３】
配線ダクトには、当該配線ダクトに供給される電源を一括してオン・オフする集中スイッチが設けられ、この集中スイッチの操作によって当該配線ダクトに接続された全ての照明器具が一斉に点消灯するように設定されるとともに、
各々の照明器具には、当該照明器具の点消灯・調光状態を記憶する記憶部が設けられて、上記集中スイッチによる一斉消灯操作の直前における各々の照明器具の点消灯・調光状態が、集中スイッチによる一斉点灯操作時に再現されることを特徴とする請求項１又は２に記載の照明器具の制御装置。
【発明の詳細な説明】
【技術分野】
【０００１】
本発明は、配線ダクトに接続された複数個の照明器具を個別に制御する制御装置に関する。
【背景技術】
【０００２】
照明用の配線ダクトは、複数個の照明器具をダクトレール上の任意の位置に取り付けることができるという効用に期待して設置されることが多い。配線ダクトの利用度が高い店舗や展示施設等においては、首振り型のスポットライトを数十ｃｍ間隔で設置するような態様もよく見られる。
【０００３】
特許文献１〜４には、配線ダクトに接続した複数個の照明器具の点消灯を制御する技術が記載されている。さらに、特許文献２〜４には、配線ダクトに接続した複数個の照明器具のうち特定の照明器具を、超音波や赤外線を利用したリモコン装置によって個別に遠隔制御する技術が記載されている。
【特許文献１】特開昭５４−４８９７６号公報
【特許文献２】特開昭５４−７０６６５号公報
【特許文献３】特公昭６３−３０７４６号公報
【特許文献４】特開平５−４７４７６号公報
【発明の開示】
【発明が解決しようとする課題】
【０００４】
配線ダクトに接続される照明器具が、例えば首振り型のスポットライトであって、それらスポットライトが様々な方向に向けて設置され、かつ、それらスポットライトの設置間隔が接近しているような条件下において、超音波や赤外線を利用するリモコン装置でそれらスポットライトの点消灯を制御しようとすると、操作者の位置やスポットライトの向きによっては、特定の照明器具に対するリモコン信号が隣接する他の照明器具に遮られて、リモコン信号の受信に支障をきたす可能性がある。
【０００５】
また、特に赤外線リモコンを利用する場合は、様々な方向に向けて設置された多数のスポットライトが発する強弱いろいろな赤外線が、個々の照明器具に設けられたリモコン信号の受信部に影響を与えて誤動作を招く可能性もある。
【０００６】
さらに、配線ダクトに接続される照明器具の個数が多い場合、それらを従来のようなリモコン装置で全て個別に制御しようとすると、リモコン送信機側に、照明器具の個数と同じだけの機器選択チャンネルを設定する必要がある。リモコン送信機側に多数の機器選択チャンネルを予め用意しておくのは非常に不経済であり、また、操作者が個々の照明器具を制御する際に、それらのチャンネルをいちいち切り換えなければならないのも非常に面倒である。
【０００７】
本発明は上記のような事情に鑑みてなされたもので、配線ダクトに多数の照明器具が近接して接続されるような条件下でも良好に遠隔制御することができ、かつ、その制御操作を簡単に行うことのできる照明器具の制御装置を提供することを解決課題とする。
【課題を解決するための手段】
【０００８】
上記した目的を達成するため、本発明の照明器具の制御装置は、同一の配線ダクトに接続された複数個の照明器具の各々に、マイクと音声認識部とを具備する音声制御手段が設けられ、上記音声認識手段は、予め個々の照明器具の識別音声と点消灯及び調光の命令音声を登録しうるように構成されて、上記識別音声を伴って発せられた点消灯又は調光の命令音声が、各音声制御手段のマイクを通じ音声認識部にてそれぞれ認識されることにより、上記識別音声に該当する照明器具の点消灯・調光状態が個々に制御されることを特徴とする。
【０００９】
上記発明において、音声制御手段は、通常は待機モードにあり、当該照明器具の識別音声を受信して操作モードに切り替わり、操作モードで点消灯又は調光の命令音声を受信することによって当該照明器具の点消灯・調光状態を制御するように構成されてもよい。
【００１０】
また、上記発明において、配線ダクトには、当該配線ダクトに供給される電源を一括してオン・オフする集中スイッチが設けられ、この集中スイッチの操作によって当該配線ダクトに接続された全ての照明器具が一斉に点消灯するように設定されるとともに、各々の照明器具には、当該照明器具の点消灯・調光状態を記憶する記憶部が設けられて、上記集中スイッチによる一斉消灯操作の直前における各々の照明器具の点消灯・調光状態が、集中スイッチによる一斉点灯操作の直後に再現されるように構成されてもよい。
【発明の効果】
【００１１】
上述のように構成される本発明の照明器具の制御装置は、遠隔操作のための信号として拡散性に富む音声を利用しているので、多数の照明器具が様々な方向に向けて、かつ、互いに接近して配線ダクトに設置されるような条件下においても、個々の照明器具に設けられたマイクを通じて確実に受信される。また、音声を利用することにより、多数の照明器具が発する赤外線の影響も排除することができる。
【００１２】
制御される照明器具を指定するための識別音声や、点消灯又は調光の命令音声は、操作者の口から直接、発せられるものであるから、操作者の手元にリモコン送信機の類は必要なく、操作がきわめて容易になる。また、音声認識手段は個々の照明器具に設けられて、それぞれ当該照明器具の識別音声を登録しうるように構成されるので、制御すべき照明器具の個数を増やす場合でも特別な装置は必要なく、すでに識別音声が登録された照明器具の設定情報を再設定するなどの手間が生じることもない。
【００１３】
さらに、音声制御手段が当該照明器具の識別音声を受信して待機モードから操作モードに切り替わるように設定した場合は、操作者が制御装置側の反応状態を確認しやすくなり、操作の確実性が増す。
【００１４】
また、配線ダクトに設けた集中スイッチで全ての照明器具を一斉に点消灯しうるようにするとともに、各々の照明器具が、一斉消灯の直前における個々の点消灯・調光状態を記憶して、その状態を一斉点灯時に再現するように構成すれば、多数の照明器具がそれぞれ多様な調光状態で使用される環境においても、個々の照明器具の調光状態をいちいち設定し直す手間が省けて利便性が向上する。
【発明を実施するための最良の形態】
【００１５】
以下、本発明の実施の形態について図を参照して説明する。
【００１６】
図１は１本の配線ダクト１に複数個の照明器具２を設置した実施形態を示す。例示の形態に係る照明器具２は首振り型のスポットライトであって、それぞれの投光軸を様々な方向に向けうるように設置されている。各照明器具２は、配線ダクト専用の接続器３を介して、配線ダクト１に機械的及び電気的に接続される。配線ダクト１には壁付けの集中スイッチ４が接続され、配線ダクト１に供給される電源を一括してオン・オフすることにより、接続された全ての照明器具２を一斉に点消灯しうるようになっている。
【００１７】
本発明の要部をなす音声制御手段は、個々の照明器具２に組み込まれる。図２に個々の照明器具２の本体側面の構成例を示し、図３に音声制御手段を含む制御回路のブロック構成例を示す。制御回路は、音声制御手段を構成する音声認識回路１０と、ランプの点消灯を制御する点消灯回路２０とに大別される。
【００１８】
音声認識回路１０は、マイク１１、ノイズキャンセラ１２、増幅器１３、音声認識部１４、音声制御回路部１５、音声出力回路部１６を具備する。マイク１１は、照明器具２本体の側面（あるいは上面や底面等）の適所に集音面を露出して取り付けられている。マイク１１を通じて集音された音声信号は、ノイズキャンセラ１２にてノイズ成分が除去され、増幅器１３で増幅される。音声認識部１４は、予め個々の照明器具２を区別するための識別音声パターンと、点消灯及び調光の命令音声パターンとを登録しうるように構成されており、増幅器１３で増幅された音声信号を登録された音声パターンと比較して、その内容を識別する。その識別技術は、公知従来の一般的な音声認識技術で足りる。音声認識部１４には、さらに操作の利便のため、音声出力回路部１６、音声ガイド用スピーカー１７、コマンド設定ボタン１８、音声入力待機表示灯１９が接続されている。
【００１９】
識別された音声内容に基づく制御信号は、音声制御回路部１５から点消灯回路２０に対して送出される。点消灯回路２０は、電源に接続された電源回路部２１、音声制御回路部１５からの制御信号を処理する発振制御回路部２２、照明器具２本体のランプを点消灯する発振回路部２３等を具備して、それぞれ音声制御回路部１５からの信号に基づきランプの点消灯及び調光を制御する。
【００２０】
上記音声制御手段を用いた具体的な使用態様を以下に例示する。
【００２１】
まず、個々の照明器具２を配線ダクト１に取り付ける前に、初期設定として、個々の照明器具２の音声認識部１４に識別音声パターンと命令音声パターンを登録する。登録の手順としては、１台目の照明器具２を選択して、側面に設けられたコマンド設定ボタン１８を押す。すると、音声出力回路部１６が、音声ガイド用スピーカー１７を通じて、「コマンド設定を開始します」、「器具アドレスコマンドを入力してください」等のガイダンスメッセージを流すので、１台目の照明器具２を指定するコマンドとして、例えば「器具Ａ」とマイク１１に向かって発声する。これで、「器具Ａ」という音声が識別音声として登録され、「器具アドレスコマンドを入力しました」という応答メッセージが流れる。
【００２２】
続いて、「点灯コマンドを入力してください」というガイダンスメッセージが流れ、これに対して、例えば「点灯」、「ライトオン」等の任意の点灯命令を発声する。すると、その音声が点灯動作の命令音声として登録され、「点灯コマンドを入力しました」という応答メッセージが流れる。
【００２３】
さらに続けて、「消灯コマンドを入力してください」というガイダンスメッセージが流れ、これに対して、例えば「消灯」、「ライトオフ」等の任意の消灯命令を発声する。すると、その音声が消灯動作の命令音声として登録され、「消灯コマンドを入力しました」という応答メッセージが流れる。
【００２４】
同様の手順で、調光動作のコマンドも、例えば「明るく」、「暗く」等のように登録する。必要な命令音声が全て登録されたら、「コマンド設定を終了します」等のガイダンスメッセージが流れる。
【００２５】
１台目の照明器具２に対する登録作業が終了したら、２台目以降の照明器具２に対する登録作業を順次、行う。識別音声を、例えば「器具Ｂ」、「器具Ｃ」等のように区別するほかは、全く同様の作業であり、点消灯・調光の命令音声は各照明器具２に共通であってもよい。制御対象となる照明器具２の登録作業が全て終了したら、各照明器具２を配線ダクト１に取り付ける。
【００２６】
実際の点消灯操作に際しては、操作したい照明器具２に向かって、例えば「器具Ａ」と発声すると、これに該当する１台目の照明器具２の音声認識部１４が、自身の識別音声であると判断して待機モードから操作モードに切り替わり、音声入力待機表示灯１９を点滅させる。この音声入力待機表示灯１９が点滅することにより、操作者は、自分の所望する照明器具２が命令可能な状態になったのを確認することができる。この状態で、「点灯」、「消灯」等の命令音声を発すると、当該照明器具２が、その命令音声に従って動作する。命令された動作が完了すると、音声認識部１４は自動的に待機モードに戻り、音声入力待機表示灯１９が常時点灯の状態になる。
【００２７】
こうして、識別音声を伴って発せられた点消灯又は調光の命令音声が、各音声制御手段のマイク１１を通じ音声認識部１４にてそれぞれ認識されることにより、音声のみによって任意の照明器具２の点消灯・調光状態を個別に制御することができる。操作者の手元にリモコン送信機の類は必要ないので、従来の赤外線リモコン等による遠隔操作に比べて、きわめて容易に操作することができる。また、音声認識手段は個々の照明器具２に設けられて、それぞれ当該照明器具２の識別音声を登録しうるように構成されるので、配線ダクト１に接続される照明器具２の個数が増える場合でも特別な装置を追加する必要なく、また、すでに識別音声が登録された照明器具２の初期設定を再登録するなどの手間も生じない。
【００２８】
さらに本発明の制御装置においては、個々の照明器具２が、それぞれ異なった調光状態で使用されることに鑑み、集中スイッチ４による一斉消灯及び一斉点灯の操作によって個々の照明器具２の調光状態が初期化されてしまわないように、各々の照明器具２に、それぞれの点消灯・調光状態を個別に記憶する記憶部２４が設けられている。記憶部２４は、図３に示したように、点消灯回路２０の発振制御回路部２２に接続されていてもよいし、あるいは音声制御回路部１５の一部に組み込まれていてもよい。記憶部２４は、集中スイッチ４による一斉消灯時にも微弱電流が配線ダクト１に常時、供給されるようにして、その微弱電流で稼働するように構成することができる。
【００２９】
各々の照明器具２の記憶部２４に、一斉消灯の直前における個々の点消灯・調光状態が記憶され、その状態が一斉点灯時に再現されるように構成することにより、多数の照明器具２がそれぞれ多様な調光状態で使用される環境においても、個々の照明器具２の調光状態をいちいち設定し直す手間が省けて利便性が向上する。
【００３０】
なお、本発明の制御装置における照明器具２自体の詳細な構造や形状は、本発明の主旨を逸脱しない範囲で自由に変更可能である。また、音声制御手段によって制御される点消灯回路２０の構成も、上記形態に限定されるものではなく、照明器具２の構成に応じて適宜変更可能である。
【図面の簡単な説明】
【００３１】
【図１】本発明の実施形態に係る照明器具の設置状態を示した概略構成図である。
【図２】個々の照明器具の構成を示す概略側面図である。
【図３】本発明の実施形態に係る制御回路のブロック構成図である。
【符号の説明】
【００３２】
１    配線ダクト
２    照明器具
４    集中スイッチ
１０  音声認識回路（音声制御手段）
１１  マイク
１４  音声認識部
２４  記憶部
【図１】
2006286275.tif 000003
【図２】
2006286275.tif 000004
【図３】
2006286275.tif 000005